(57)【要約】【課題】  低コストな構成により電源出力を安定させること。【解決手段】  交流電圧を昇降する変圧器（Ｔ１）を有し、電源入力に応じて電源出力を行う変圧回路（Ｅ１ｂ）と、前記電源入力側にフィードバックする前記電源出力を調節するフィードバック用固定抵抗（Ｒ４′）を有し、前記変圧回路（Ｅ１ｂ）の前記電源出力を一定に制御するために、前記変圧回路（Ｅ１ｂ）の前記電源出力を前記電源入力にフィードバックするフィードバック回路（Ｅ１ｃ）と、前記電源入力と前記電源出力との入出力関係を記憶する入出力関係記憶手段と、前記入出力関係記憶手段に記憶された前記入出力関係を参照して、電源出力に応じた電源入力を行う電源制御手段とを備えた電源装置。【選択図】  図２
2006262676.tif 000002
【特許請求の範囲】
【請求項１】
下記の構成要件（Ａ01）〜（Ａ04）を備えたことを特徴とする電源装置、
（Ａ01）交流電圧を昇降する変圧器を有し、電源入力に応じて電源出力を行う変圧回路、
（Ａ02）前記電源入力側にフィードバックする前記電源出力を調節するフィードバック用固定抵抗を有し、前記変圧回路の前記電源出力を一定に制御するために、前記変圧回路の前記電源出力を前記電源入力にフィードバックするフィードバック回路、
（Ａ03）前記電源入力と前記電源出力との入出力関係を記憶する入出力関係記憶手段、
（Ａ04）前記入出力関係記憶手段に記憶された前記入出力関係を参照して、電源出力に応じた電源入力を行う電源制御手段。
【請求項２】
下記の構成要件（Ａ05），（Ａ06）を備えたことを特徴とする請求項１記載の電源装置、
（Ａ05）前記電源装置の工場出荷前に前記入出力関係の検査を行う検査システム、
（Ａ06）前記検査システムによる検査により得られた入出力関係を記憶する前記入出力関係記憶手段。
【請求項３】
下記の構成要件（Ａ07）を備えたことを特徴とする請求項１または２記載の電源装置、
（Ａ07）前記入出力関係の基準である基準入出力関係と、前記基準入出力関係からのずれである補正値と、を有する前記入出力関係を記憶する前記入出力関係記憶手段。
【請求項４】
下記の構成要件（Ａ08）を備えたことを特徴とする請求項３記載の電源装置、
（Ａ08）所定の電源入力に対する実際の電源出力と、前記所定の電源入力に対する前記基準入力関係により導出される基準電源出力が得られる補正後電源入力との差を、前記補正値として記憶する前記入出力関係記憶手段。
【請求項５】
下記の構成要件（Ａ09）を備えたことを特徴とする請求項３または４記載の電源装置、
（Ａ09）前記電源装置を構成する部品の定格値を積算して得られた入出力関係を前記基準入出力関係として記憶する前記入出力関係記憶手段。
【請求項６】
下記の構成要件（Ａ010），（Ａ011）を備えたことを特徴とする請求項１または２記載の電源装置、
（Ａ010）異なる複数の電源入力と、前記複数の電源入力に対する複数の実際の電源出力とから前記入出力関係の回帰分析を行う回帰分析手段、
（Ａ011）前記回帰分析手段により得られた実際の入出力関係を特定する定数を記憶する前記入出力関係記憶手段。
【請求項７】
請求項１ないし６のいずれか記載の電源装置を備えた画像形成装置。
【発明の詳細な説明】
【技術分野】
【０００１】
本発明は、交流電圧を昇降して出力する変圧器（トランス）を有する電源装置および前記電源装置を備えたプリンタ、ＦＡＸ、複写機、およびこれら複数の機能を有する複合機等の画像形成装置に関し、特に、電源出力を電源入力にフィードバックして電源出力を一定に制御可能な電源装置および前記電源装置を備えた画像形成装置に関する。
このような電源装置としては、出力をリニア（線形）に調整し且つ高電圧の出力が必要な高圧電源装置に好適に使用可能であり、このような高圧電源装置が使用される画像形成装置に好適に使用可能である。
【背景技術】
【０００２】
入力に応じて所定の電圧、電流の出力を行う従来の電源装置（電源制御回路）として、下記の従来技術（Ｊ01）が公知である。
（Ｊ01）特許文献１（特開平５−１６５５３５号公報）記載の技術
特許文献１には、ＣＰＵ（６）の指示によりＤＡＣ（７）から入力電圧を入力し、前記電圧によってＬＥＤ発光部（１８）で発光した光をフォトダイオード（１１）で受光した出力電圧を外部ＡＤＣ（１９）でデジタルデータに変換する調整装置において、外部ＡＤＣ（１９）により出力電圧をモニタしながら入力電圧を調整し、出力が期待の範囲に入った時の入力電圧のデータと、期待の範囲から出た時のデータとの中間値を、使用する出力として不揮発性メモリ（９）に記憶する技術が記載されている。
【０００３】
しかしながら、前記従来技術（Ｊ01）では、不揮発性メモリ（９）に記憶されている所定の固定した出力を行う場合には適しているが、出力電圧をリニア（線形）に調整して出力する高圧電源には有効ではない。
【０００４】
従来の画像形成装置で使用される高圧電源装置として、以下の従来技術（Ｊ02）が公知である。
（Ｊ02）図７に示す従来技術
図７は、検査システムに接続された状態における従来の画像形成装置の電源装置の説明図である。
図７において、従来の画像形成装置０１の高圧電源装置０２は、コントローラ０３のＣＰＵ（中央演算装置）０４からの制御信号が入力されるＤＡＣ（デジタル  アナログ  コンバータ）０６と、前記ＤＡＣ０６からの入力電圧が入力される駆動回路０２ａと、前記駆動回路０２ａによりトランスＴ１の一次側電源入力が制御される昇圧回路０２ｂと、前記昇圧回路０２ｂの出力電圧を前記駆動回路０２ａにフィードバックするフィードバック回路０２ｃとを有する。
【０００５】
前記駆動回路０２ａは、前記ＤＡＣ０６からの入力電圧Ｖｉｎが＋入力されるオペアンプＵ１を有する。前記オペアンプＵ１の出力とオペアンプＵ１の−入力との間には、コンデンサＣ１と抵抗Ｒ２とが接続されている（ネガティブフィードバック）。前記オペアンプＵ１の出力は、抵抗Ｒ１を介してインピーダンス制御用のトランジスタＱ１のベース（Ｂ）に接続されている。前記トランジスタＱ１のコレクタ（Ｃ）には電圧Ｖ１の直流電源が接続され、トランジスタＱ１のエミッタ（Ｅ）は、昇圧回路０２ｂのトランスＴ１の一次側の一端に接続されている。前記トランスＴ１の一次側の他端は、トランジスタＱ２のコレクタ（Ｃ）に接続されている。前記トランジスタＱ２のエミッタ（Ｅ）はアースされており、ベース（Ｂ）にはＣＰＵ０４からオン、オフのクロックが供給される。
【０００６】
前記昇圧回路０２ｂは、電圧を昇圧するトランス（変圧器）Ｔ１を有し、トランスＴ１の二次側の一端にはダイオードＤ１の一端が接続され、トランスＴ１の二次側の他端側はアースされている。前記ダイオードＤ１の他端は昇圧回路０２ｂの出力となっており、ダイオードＤ１の他端とアースとの間にはコンデンサＣ２が接続されている。したがって、前記コンデンサＣ２は、前記駆動回路０２ａのトランジスタＱ２がオンからオフになると充電される。前記昇圧回路０２ｂの出力側には、アースとの間に検査用負荷０７が接続されており、昇圧回路０２ｂの電源出力として出力電圧Ｖｏｕｔが出力される。
前記昇圧回路０２ｂの出力側は、フィードバック回路０２ｃの抵抗Ｒ３を介してオペアンプＵ２に−入力されている。前記オペアンプＵ２には、直流電圧Ｖ２が＋入力されており、出力は可変抵抗Ｒ４を介して−入力されている（ネガティブフィードバック（負帰還）されている）。そして、オペアンプＵ２の出力は抵抗Ｒ５を介して駆動回路０２ａのオペアンプＵ１に−入力されている。すなわち、出力電圧Ｖｏｕｔがフィードバック回路０２ｃにより駆動回路０２ａの入力側にフィードバックされている。
なお、前記昇圧回路０２ｂの出力電圧Ｖｏｕｔは、検査システム０８により監視され（モニタリングされ）、ＣＰＵ０４に入力される。
【０００７】
したがって、前記従来技術の高圧電源回路０２では、ＣＰＵ０４の指示によりＤＡＣから所定の電圧Ｖｉｎが入力された時の二次側出力Ｖｏｕｔを検査システム０８により検出する。前記二次側出力Ｖｏｕｔは、電源回路０２を構成する各部材や素子の個体差、製造誤差等により、電源回路０２毎に異なる。したがって、従来技術の高圧電源回路０２では、回路毎に異なる出力電圧Ｖｏｕｔが同じ値になるように、可変抵抗Ｒ４を手動で調整して、出力電圧Ｖｏｕｔを補正していた。
【０００８】
【特許文献１】特開平５−１６５５３５号公報（段落番号「００２１」〜「００２７」、第１図）
【発明の開示】
【発明が解決しようとする課題】
【０００９】
しかしながら、前記従来技術（Ｊ02）では、可変抵抗Ｒ４を手動で調整して、回路毎の出力電圧の調整を行っていたので、手間がかかり検査コストが高くなるという問題がある。また、可変抵抗Ｒ４を使用するため、可変抵抗Ｒ４のスライド部のバックラッシュにより抵抗値が変動したり、輸送時の振動により可変抵抗Ｒ４のスライド部がずれて抵抗値が変動して、電源出力が変動してしまうという問題もあった。
【００１０】
本発明は、前述の事情に鑑み、次の記載内容（Ｏ01）を技術的課題とする。
（Ｏ01）低コストな構成により電源出力を安定させること。
【課題を解決するための手段】
【００１１】
（第１発明）
前記技術的課題を解決するために、第１発明の電源装置は、下記の構成要件（Ａ01）〜（Ａ04）を備えたことを特徴とする。
（Ａ01）交流電圧を昇降する変圧器を有し、電源入力に応じて電源出力を行う変圧回路、
（Ａ02）前記電源入力側にフィードバックする前記電源出力を調節するフィードバック用固定抵抗を有し、前記変圧回路の前記電源出力を一定に制御するために、前記変圧回路の前記電源出力を前記電源入力にフィードバックするフィードバック回路、
（Ａ03）前記電源入力と前記電源出力との入出力関係を記憶する入出力関係記憶手段、
（Ａ04）前記入出力関係記憶手段に記憶された前記入出力関係を参照して、電源出力に応じた電源入力を行う電源制御手段。
【００１２】
（第１発明の作用）
前記構成要件（Ａ01）〜（Ａ04）を備えた第１発明の画像形成装置では、交流電圧を昇降する変圧器を有する変圧回路は、電源入力に応じて電源出力を行う。前記電源入力側にフィードバックする前記電源出力を調節するフィードバック用固定抵抗を有するフィードバック回路は、前記変圧回路の前記電源出力を一定に制御するために、前記変圧回路の前記電源出力を前記電源入力にフィードバックする。入出力関係記憶手段は、前記電源入力と前記電源出力との入出力関係を記憶する。電源制御手段は、前記入出力関係記憶手段に記憶された前記入出力関係を参照して、電源出力に応じた電源入力を行う。
【００１３】
したがって、第１発明の電源装置では、入出力関係記憶手段に記憶された入出力関係に基づいて電源入力が行われるため、変圧回路やフィードバック回路の素子を手動で調整して出力電圧の調整を行う必要がない。この結果、出力電圧調整時に必要であった人的なコストを削減することができる。また、第１発明の電源装置では、入出力関係に基づいて電源入力が行われるので、従来技術のように可変抵抗を使用する必要が無く、可変抵抗を使用した場合に発生していたスライド部のバックラッシュや輸送時の振動によるスライド部のずれによる抵抗値が変動をなくすことができる。この結果、バックラッシュ等により入出力関係が変動することを防止でき、電源装置の安定性、信頼性を向上させることができる。
【００１４】
（第１発明の形態１）
第１発明の形態１の電源装置は、前記第１発明において、下記の構成要件（Ａ05），（Ａ06）を備えたことを特徴とする。
（Ａ05）前記電源装置の工場出荷前に前記入出力関係の検査を行う検査システム、
（Ａ06）前記検査システムによる検査により得られた入出力関係を記憶する前記入出力関係記憶手段。
【００１５】
（第１発明の形態１の作用）
前記構成要件（Ａ05），（Ａ06）を備えた第１発明の形態１の電源装置では、検査システムは、前記電源装置の工場出荷前に前記入出力関係の検査を行う。前記入出力関係記憶手段は、前記検査システムによる検査により得られた入出力関係を記憶する。したがって、第１発明の形態１の電源装置は、工場出荷前の検査で得られた入出力関係が記憶されているので、出荷後に入出力関係を取得するための装置や部材を設ける必要が無く、コストを削減することができる。
【００１６】
（第１発明の形態２）
第１発明の形態２の電源装置は、前記第１発明または第１発明の形態１において、下記の構成要件（Ａ07）を備えたことを特徴とする。
（Ａ07）前記入出力関係の基準である基準入出力関係と、前記基準入出力関係からのずれである補正値と、を有する前記入出力関係を記憶する前記入出力関係記憶手段。
（第１発明の形態２の作用）
前記構成要件（Ａ07）を備えた第１発明の形態２の電源装置では、前記入出力関係記憶手段は、前記入出力関係の基準である基準入出力関係と、前記基準入出力関係からのずれである補正値と、を有する前記入出力関係を記憶する。したがって、前記基準入出力関係と、補正値とに基づいて、所望の電源出力に対する電源入力を得ることができる。
【００１７】
（第１発明の形態３）
第１発明の形態３の電源装置は、前記第１発明の形態２において、下記の構成要件（Ａ08）を備えたことを特徴とする。
（Ａ08）所定の電源入力に対する実際の電源出力と、前記所定の電源入力に対する前記基準入力関係により導出される基準電源出力が得られる補正後電源入力との差を、前記補正値として記憶する前記入出力関係記憶手段。
（第１発明の形態３）
前記構成要件（Ａ08）を備えた第１発明の形態３の電源装置では、前記入出力関係記憶手段は、所定の電源入力に対する実際の電源出力と、前記所定の電源入力に対する前記基準入力関係により導出される基準電源出力が得られる補正後電源入力との差を、前記補正値として記憶する。したがって、前記補正値と基準入出力関係とに基づいて。所望の電源出力に対する電源入力を計算することができる。
【００１８】
（第１発明の形態４）
第１発明の形態４の電源装置は、前記第１発明の形態２または３において、下記の構成要件（Ａ09）を備えたことを特徴とする。
（Ａ09）前記電源装置を構成する部品の定格値を積算して得られた入出力関係を前記基準入出力関係として記憶する前記入出力関係記憶手段。
（第１発明の形態４の作用）
前記構成要件（Ａ09）を備えた第１発明の形態４の電源装置では、前記入出力関係記憶手段は、前記電源装置を構成する部品の定格値を積算して得られた入出力関係を前記基準入出力関係として記憶する。したがって、前記基準入出力関係を容易に計算することができる。
【００１９】
（第１発明の形態５）
第１発明の形態５の電源装置は、前記第１発明または第１発明の形態１において、下記の構成要件（Ａ010），（Ａ011）を備えたことを特徴とする。
（Ａ010）異なる複数の電源入力と、前記複数の電源入力に対する複数の実際の電源出力とから前記入出力関係の回帰分析を行う回帰分析手段、
（Ａ011）前記回帰分析手段により得られた実際の入出力関係を特定する定数を記憶する前記入出力関係記憶手段。
【００２０】
（第１発明の形態５の作用）
前記構成要件（Ａ010），（Ａ011）を備えた第１発明の形態５の電源装置では、回帰分析手段は、異なる複数の電源入力と、前記複数の電源入力に対する複数の実際の電源出力とから前記入出力関係の回帰分析を行う。前記入出力関係記憶手段は、前記回帰分析手段により得られた実際の入出力関係を特定する定数を記憶する。したがって、回帰分析により得られた入出力関係に基づいて、精度の高い電源入力および電源出力を得ることができる。
【００２１】
（第２発明）
前記技術的課題を解決するために第２発明の画像形成装置は、前記第１発明および第１発明の形態１〜５のいずれかの電源装置を備えたことを特徴とする。
（第２発明の作用）
前記構成要件を備えた第２発明の画像形成装置は、前記第１発明および第１発明の形態１〜５のいずれかの電源装置を備えているので、入出力関係記憶手段に記憶された入出力関係に基づいて電源入力が行われる。したがって、変圧回路やフィードバック回路の素子を手動で調整して出力電圧の調整を行う必要がない。この結果、出力電圧調整時に必要であった人的なコストを削減することができる。また、第２発明の画像形成装置では、前記電源装置により、入出力関係に基づいて電源入力が行われるので、従来技術のように可変抵抗を使用する必要が無く、可変抵抗を使用した場合に発生していたスライド部のバックラッシュや輸送時の振動によるスライド部のずれによる抵抗値が変動をなくすことができる。この結果、バックラッシュ等により入出力関係が変動することを防止でき、電源装置および画像形成装置の安定性、信頼性を向上させることができる。
【発明の効果】
【００２２】
前述の本発明は、下記の効果（Ｅ01）を奏する。
（Ｅ01）低コストな構成により電源出力を安定させることができる。
【発明を実施するための最良の形態】
【００２３】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２４】
図１は本発明の画像形成装置（デジタル複写機）の縦断面図である。
図１において、実施例１の画像形成装置（デジタル複写機）Ｕは、ＩＯＴ（イメージアウトプットターミナル、すなわち画像記録部）としての画像形成装置本体（プリンタ部）Ｕ１、ＩＩＴ（イメージインプットターミナル、すなわち画像読取り部）としてのスキャナ装置Ｕ２及び自動原稿搬送装置（ＡＤＦ：オートドキュメントフィーダ）Ｕ３を有している。
前記自動原稿搬送装置Ｕ３は、ＩＩＴ上面のプラテンガラスＰＧ上に支持されている。
前記ＩＯＴ上面には上方のＩＩＴとの間にシート排出トレイＴＲｈが設けられている。
【００２５】
図１において、前記自動原稿搬送装置Ｕ３は、複写しようとする複数の原稿Ｇｉが重ねて載置される原稿給紙トレイＴＧ1を有している。前記原稿給紙トレイＴＧ1に載置された複数の各原稿Ｇｉは、原稿搬送ローラＲｇによって順次プラテンガラスＰＧ上の複写位置を通過して原稿排紙トレイＴＧ2に排出されるように構成されている。前記自動原稿搬送装置Ｕ２は、その後端部（−Ｘ端部）に設けた左右方向（Ｙ軸方向）に延びるヒンジ軸（図示せず）により前記プラテンガラスＰＧ上面に対して回動可能であり、原稿Ｇｉを作業者が手でプラテンガラスＰＧ上に置く場合に上方に回動される。
前記画像形成装置本体Ｕ１は、ユーザがコピースタート等の作動指令信号を入力操作するコントロールパネルＵＩ（ユーザインタフェース）を有している。
【００２６】
前記透明なプラテンガラスＰＧの下方には原稿画像を読み取るための露光光学系Ａが配置されている。
前記自動原稿搬送装置Ｕ３でプラテンガラスＰＧ上面に搬送される原稿または手動でプラテンガラスＰＧ上に置かれた原稿（図示せず）からの反射光は、前記露光光学系Ａを介して、ＣＣＤ（固体撮像素子）で電気信号に変換される。
ＩＰＳ（イメージプロセッシングシステム、画像処理部）は、ＣＣＤから入力されるＲＧＢの電気信号を画像データに変換して一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳ（潜像形成装置）に出力する。なお、前記ＵＩ（ユーザインタフェース）、ＩＰＳおよびレーザ駆動信号出力装置ＤＬと、後述の現像ロールＧａ、転写ロールＴにバイアス電圧を印加する電源回路Ｅ等の動作はシステムコントローラＣにより制御される。
【００２７】
図１において、感光体ドラムにより構成されるトナー像担持体ＰＲはその軸ＰＲａと一体的に矢印方向に回転しており、その表面は、帯電ロールＣＲにより一様に帯電された後、潜像書込位置おいて前記ＲＯＳ（潜像形成装置）のレーザビームＬにより露光走査されて静電潜像が形成される。
前記静電潜像が形成されたトナー像担持体ＰＲ表面は回転移動して、現像ロールＧａと対向する現像領域、転写ロールＴと対向する転写領域Ｑ３を順次通過する。
現像器Ｇは、現像ロールＧａ、現像剤攪拌部材Ｇｂ，Ｇｃ，Ｇｄを回転可能に支持し且つ現像剤を収容する現像容器Ｖを有しており、前記現像領域を通過するトナー像担持体ＰＲ上の静電潜像をトナー像に現像する。
前記トナー像担持体ＰＲ、帯電ロールＣＲ、潜像形成装置ＲＯＳ及び現像器Ｇによって、トナー像形成装置（ＰＲ＋ＣＲ＋ＲＯＳ＋Ｇ）が構成されている。
【００２８】
前記転写領域Ｑ３に搬送するための記録用シートを収容する複数の給紙トレイＴＲ1〜ＴＲ4は、その左右両側に前後方向（図１で紙面に垂直な方向）に沿って配置された一対のレールＲＬ１，ＲＬ１に沿って移動可能に支持されている。
前記各給紙トレイＴＲ1〜ＴＲ4から、ピックアップロールＲｐにより取出された記録シートＳは、リタードロールおよび給紙ロールを有するさばきロールＲｓにより１枚づつ分離されて、シート搬送路ＳＨに沿って配置された複数のシート搬送ロールＲａにより搬送され、レジロールＲｒにより所定のタイミングで、前記転写領域Ｑ３に搬送される。
また、手差トレイＴＲ0（図１は図示省略）から給紙された記録シートＳも前記シート搬送路ＳＨに沿って配置されたシート搬送ロールＲａ、レジロールＲｒにより前記転写領域Ｑ３に搬送される。
前記搬送ロールＲａ、ピックアップロールＲｐ、レジロールＲｒ及びさばきロールＲｓ等によってシート搬送装置（Ｒａ〜Ｒｓ）が構成されている。
【００２９】
前記転写領域Ｑ３には転写バイアスが印加される転写ロール（転写装置）Ｔが配置されている。この転写ロールＴは転写領域Ｑ３において前記トナー像担持体ＰＲに圧接しており、転写領域Ｑ３を通過する記録シートＳにトナー像担持体ＰＲ上のトナー像を転写する。
トナー像担持体ＰＲ表面のトナー像が転写領域Ｑ３において記録シートＳに転写された後、前記トナー像担持体ＰＲは、クリーナＣＬにより表面に付着した残留トナーが回収される。前記クリーナＣＬにより表面に付着した残留トナーが回収されたトナー像担持体ＰＲは、前記帯電ロールＣＲにより帯電される。
【００３０】
前記転写領域Ｑ３において未定着のトナー像が転写された記録シートＳは、トナー像が未定着の状態で定着領域Ｑ４に搬送され、定着領域Ｑ４に配置された定着装置Ｆによってトナー像が定着される。前記定着装置Ｆは、互いに圧接しながら回転する加熱ロール（加熱回転部材）Ｆｈと、加圧ロール（加圧回転部材）Ｆｐとを有し、前記加熱ロールＦｈと加圧ロールＦｐとの圧接領域により前記定着領域Ｑ４が形成される。前記加熱ロールＦｈの内部には回転軸方向（図１の紙面に垂直なＸ軸方向）に延びるヒータＨが配置されている。前記加熱ロールＦｈおよび加圧ロールＦｐ等によって定着用回転部材（Ｆｈ＋Ｆｐ）が構成されている。そして、前記定着用回転部材（Ｆｈ＋Ｆｐ）およびヒータＨ等によって定着装置Ｆが構成されている。
【００３１】
定着トナー像が形成された記録シートＳは、その後、シートガイドにガイドされて排紙ロール（標準排出ロール）Ｒ１に搬送され、前記排紙ロールＲ１によりシート排出トレイＴＲｈに排出される。前記排紙ロール（標準排出ロール）Ｒ１は上側の排紙駆動ロールＲ１ａおよび下側の排紙従動ロールＲ１ｂを有している。
図１において、前記排紙ロールＲ１の左方には、オプション装置（シート反転装置）Ｕ４の装着時に、画像形成装置本体Ｕ１内に装着されるシート反転排出用ガイドＳＧおよびオプション排出ロールＲ２が２点鎖線（仮想線）で示されている。オプション排出ロールＲ２は下側のオプション排出駆動ロールＲ２ａおよび上側のオプション排出従動ロールＲ２ｂを有している。
【００３２】
記録シートの両面に画像記録を行う場合、片面記録済の記録シートは前記オプション排出ロールＲ２からシート反転装置Ｕ３を通って、表裏反転した状態で前記転写領域Ｑ３に再送される。
前記シート反転排出用ガイドＳＧおよびオプション排出ロールＲ２は、オプション装置であるシート反転装置Ｕ４を画像形成装置本体Ｕ１に装着した場合にのみ使用される部材（オプション排出部材）であり、シート反転装置Ｕ４の装着時に、オプション排出ロールＲ２を駆動するためのオプション駆動力伝達部材（図示せず）とともに画像形成装置本体Ｕ１内に装着される。なお、オプションの前記シート反転装置Ｕ４に替えて、画像記録された記録シートＳをページ順に揃えて２つ折りにしたり（丁合したり）、ステープル（パンチ孔作成やホチキス止め）したりするフィニッシャ（後処理装置）を装着することも可能である。
【００３３】
（コントローラ（制御部）の説明）
図２は実施例１の画像形成装置の電源装置の説明図である。
次に、図２を使用して実施例１の画像形成装置の電源装置の構成を説明するが、前記図７に示す従来技術の電源装置と同様の構成には符号の最初の「０」を除いた符号を付し、詳細な説明は省略する。
図２において、実施例１の画像形成装置Ｕの電源装置では、高圧電源回路Ｅ１は、前記図７に示す従来技術の駆動回路０２ａおよび昇圧回路０２ｂと同様に構成された駆動回路Ｅ１ａおよび昇圧回路（変圧回路）Ｅ１ｂを有する。実施例１の高圧電源回路Ｅ１のフィードバック回路Ｅ１ｃは、従来技術のフィードバック回路０２ｃの可変抵抗Ｒ４に替えて、固定抵抗Ｒ４′を有する。
また、高圧電源回路Ｅ１にＤＡＣ６を介して入力電圧Ｖｉｎの入力を指示するＣＰＵ４は、不揮発性メモリＮＶＭ（NonVolatile  Memory）に接続されており、駆動回路０２ａには、不揮発性メモリＮＶＭに記憶されたデータ（後述する入出力関係および補正値）に基づいて調整された入力電圧Ｖｉｎが入力される。
【００３４】
（コントローラの制御部（機能）の説明）
図３は実施の形態１の画像形成装置の制御部分が備えている各機能をブロック図（機能ブロック図）で示した図である。
図３において、前記コントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）や不揮発性メモリＮＶＭ、必要なデータを一時的に記憶するためのＲＡＭ（ランダムアクセスメモリ）、前記ＲＯＭ等に記憶されたプログラムに応じた処理を行うＣＰＵ（中央演算処理装置）４ならびにクロック発振器等を有するマイクロコンピュータにより構成されており、前記ＲＯＭ等に記憶されたプログラムを実行することにより種々の機能を実現することができる。
【００３５】
（前記コントローラＣに接続された信号入力要素）
前記コントローラＣは、ＵＩ（ユーザインタフェース）やその他の信号入力要素からの信号が入力されている。
前記ＵＩは、コピースタートキーＵＩ1、テンキーＵＩ２、表示部ＵＩ３等を備えている。
【００３６】
（前記コントローラＣに接続された制御要素）
また、コントローラＣは、メインモータ駆動回路Ｄ１、電源回路Ｅ、その他の制御要素に接続されており、それらの作動制御信号を出力している。
前記電源回路Ｅは、高圧電源回路Ｅ１、低圧電源回路Ｅ２、定着用電源回路Ｅ３等を有している。
前記高圧電源回路Ｅ１は、現像ロールＧａに印加する現像バイアスや、帯電ロールＣＲに印加される帯電バイアス、転写ロールに印加される転写バイアス用の高圧電源を供給する。
前記低圧電源回路Ｅ２は、コントローラＣやユーザインタフェースＵＩ等を駆動するための低圧電源を供給する。
前記定着用電源回路Ｅ３は、定着装置Ｆの加熱ロールＦｈのヒータ加熱用電源を供給する。
【００３７】
前記メインモータ駆動回路Ｄ１はメインモータＭ１を介して像担持体ＰＲ、中現像装置Ｇの現像ロールＧａ、定着装置Ｆの定着部材Ｆｐ，Ｆｈ、排出ロールＲ１等を回転駆動する。
【００３８】
（前記コントローラＣの機能）
前記コントローラＣは、前記各信号出力要素からの出力信号に応じた処理を実行して、前記各制御要素に制御信号を出力する機能（制御手段）を有している。前記コントローラＣの機能（制御手段）を次に説明する。
Ｃ１：ジョブ制御手段
ジョブ制御手段Ｃ１は、コピースタートキーＵＩ１の入力に応じて、前記トナー像形成装置、転写ロールＴ、定着装置Ｆおよびシート搬送装置（ＳＨ＋Ｒａ＋Ｒｒ）等の動作を制御して、画像形成動作であるジョブ（コピー動作）を実行する。
【００３９】
Ｃ２：メインモータ回転制御手段
メインモータ回転制御手段Ｃ２は、前記メインモータ駆動回路Ｄ１を制御して、像担持体ＰＲや現像装置Ｇ、定着装置Ｆ等の駆動を制御する。
Ｃ３：電源制御手段
電源制御手段Ｃ３は、補正値演算手段Ｃ３Ａと、入出力関係記憶手段Ｃ３Ｂと、入力電圧演算手段Ｃ３Ｃとを有し、電源回路Ｅを制御して、帯電ロールＣＲや転写ロールＲｔ、定着装置Ｆ等への電圧、電流の供給を制御する。
【００４０】
図４は実施例１の補正値の導出方法の説明図であり、横軸にＤＡＣ入力電圧Ｖｉｎをとり縦軸に高圧出力電圧Ｖｏｕｔをとったグラフである。
Ｃ３Ａ：補正値演算手段（入出力関係検出手段）
補正値演算手段Ｃ３Ａは、検査システム８を使用して検出された高圧電源回路Ｅ１の入出力関係と、入力電圧Ｖｉｎに対する出力電圧Ｖｏｕｔの基準の（理論上の）入出力関係である基準入出力関係とのずれである補正値ΔＶｉｎを演算する。実施例１の補正値演算手段Ｃ３Ａは、画像形成装置Ｕの出荷前に、検査システム８を使用して次のようにして前記補正値ΔＶｉｎを計算する。まず、検査システム８を使用して、検査に使用される所定の検査用入力電圧（検査用電源入力）Ｖｉｎ１を入力した場合の実際の出力電圧（検査用電源出力）Ｖｏａを検出する。そして、検査用入力電圧Ｖｉｎ１の入力がされた場合に基準入出力関係から導出される基準となる理論的な出力電圧（基準電源出力）Ｖｏｓを計算する。高圧電源回路Ｅ１の実際の入出力関係（図４の破線参照、実施例１ではＶｏｕｔ＝ａ×Ｖｉｎ＋ｂ）と、基準入出力関係（図４の実線参照、実施例１ではＶｏｕｔ＝ａ×Ｖｉｎ＋ｃ）とが、図４のグラフに示すように共に同じ傾きａの線形（リニア）の関係で表せる場合、実際の入出力関係（図４の破線参照）において、実際に出力電圧Ｖｏｓの出力がされる補正後入力電圧Ｖｉｎ１′と、入力電圧Ｖｉｎ１との差（補正値）ΔＶｉｎを下記の式（１）により計算できる。
ΔＶｉｎ＝（Ｖｉｎ１′−Ｖｉｎ１）＝｛（Ｖｏｓ−Ｖｏａ）／ａ｝      ………式（１）
【００４１】
Ｃ３Ｂ：入出力関係記憶手段
入出力関係記憶手段Ｃ３Ｂは、基準入出力関係記憶手段Ｃ３Ｂ１と、補正値記憶手段Ｃ３Ｂ２とを有し、入力電圧（電源入力）Ｖｉｎと出力電圧（電源出力）Ｖｏｕｔとの入出力関係を記憶する。
Ｃ３Ｂ１：基準入出力関係記憶手段
基準入出力関係記憶手段Ｃ３Ｂ１は、入力電圧Ｖｉｎに対する出力電圧Ｖｏｕｔの基準の入出力関係である基準入出力関係を記憶する。実施例１の基準入出力関係記憶手段Ｃ３Ｂ１は、前記基準入出力関係として、電源装置の各回路Ｅ１ａ〜Ｅ１ｃを構成する部品や素子（抵抗Ｒ１〜Ｒ５やコンデンサＣ１〜Ｃ２、トランジスタＱ１〜Ｑ２等）の定格値を計算して得られた理論上の入出力関係を基準入出力関係（基準特性）として記憶する。なお、実施例１では、前記基準入出力関係として、下記の式（２）が記憶されている。
Ｖｏｕｔ＝ａ×Ｖｉｎ＋ｃ        ………式（２）
なお、傾きａと切片ｃは、部品や素子の定格値の計算から予め定まっている。
【００４２】
Ｃ３Ｂ２：補正値記憶手段
補正値記憶手段Ｃ３Ｂ２は、前記補正値演算手段Ｃ３Ａにより演算された補正値ΔＶｉｎを記憶する。
Ｃ３Ｃ：入力電圧演算手段
入力電圧演算手段Ｃ３Ｃは、画像形成動作時等に、補正値ΔＶｉｎと基準入出力関係とに基づいて、出力したい出力電圧Ｖｏｕｔに対応する補正後入力電圧Ｖｉｎ′（＝Ｖｉｎ＋ΔＶｉｎ）を演算する。なお、実施例１では、補正後入力電圧Ｖｉｎ′は、前記基準入出力関係から、下記の式（３）により演算される。
Ｖｉｎ′＝（Ｖｏｕｔ−ｃ）／ａ＋ΔＶｉｎ
＝（Ｖｏｕｔ−ｃ）／ａ＋（Ｖｏｓ−Ｖｏａ）／ａ        ………式（３）
【００４３】
なお、入力電圧演算手段により導出された補正後入力電圧Ｖｉｎ′は、前記ＤＡＣ６を介して入力電圧として駆動回路Ｅａに入力される。
前記コントローラＣ、高圧電源回路Ｅ１等により実施例１の電源装置（Ｃ＋Ｅ１）が構成されている。
【００４４】
（実施例１の作用）
前記構成を備えた実施例１の画像形成装置Ｕでは、高圧電源回路Ｅ１毎に異なる入出力関係（入出力特性）と、基準入出力関係とのずれ（補正値ΔＶｉｎ）を、製品出荷前に検査システム８を使用して求め、記憶している。そして、画像形成動作時等で所定の出力電圧Ｖｏｕｔの出力をしたい場合には、補正値ΔＶｉｎを使用し、入力電圧Ｖｉｎを補正して、高圧電源回路Ｅ１に入力電圧Ｖｉｎ′の入力を行っている。したがって、実施例１の画像形成装置Ｕでは、補正値ΔＶｉｎを使用して入力電圧Ｖｉｎの補正を行っているので、所望の出力電圧Ｖｏｕｔとのずれが少ない出力を行うことができる。
【００４５】
また、実施例１の画像形成装置Ｕでは、補正値ΔＶｉｎを使用して入力電圧Ｖｉｎの補正を行うので、高圧電源回路Ｅ１を構成する素子（抵抗やコンデンサ等）の抵抗値等の調整を行う必要が無くなり、フィードバック回路Ｅｃにおいて可変抵抗を使用せず固定抵抗Ｒ４′を使用することができる。この結果、可変抵抗を手動で調整するために発生していた人的なコストを削減することができる。さらに、可変抵抗を使用する場合にバックラッシュや輸送時の振動によって可変抵抗のスライド部がずれて、抵抗値が変動し、入出力関係が変動する問題を抑えることができる。この結果、画像形成装置Ｕの安定性、信頼性が向上する。
また、実施例１の画像形成装置Ｕでは、製品出荷前に検査システム８により予め導出された補正値ΔＶｉｎを使用するので、画像形成動作時等に補正計算を容易に行うことができる。さらに、基準入出力関係を構成部品や素子の定格値から計算するので、基準入出力関係を容易に得ることができる。また、補正値ΔＶｉｎは、製品出荷時にコントローラＣ内の不揮発性メモリＮＶＭに記憶されているので、出荷後に入出力関係を取得するための装置や部材を設ける必要が無い。したがって、電源装置自体に実装する部品点数の上昇を抑えることができ、コスト上昇を抑えることができる。
【実施例２】
【００４６】
図５は実施例２の画像形成装置の制御部分が有する各機能の機能ブロック図であり、実施例１の図３に対応する図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
図５において、実施例２のコントローラＣの電源制御手段Ｃ３は、実施例１の補正値演算手段Ｃ３Ａおよび入出力関係記憶手段Ｃ３Ｂに替えて、回帰分析手段Ｃ３Ａ′および入出力関係記憶手段Ｃ３Ｂ′を有している。
【００４７】
図６は実施例２の補正値の導出方法の説明図であり、実施例１の図４に対応する図である。
Ｃ３Ａ′：回帰分析手段（入出力関係検出手段）
回帰分析手段Ｃ３Ａ′は、検査システム８を使用して検出された出力電圧（電源出力）を回帰分析して、高圧電源回路Ｅ１の入出力関係を求める。実施例２の回帰分析手段Ｃ３Ａ′は、画像形成装置Ｕの出荷前に、検査システム８を使用して次のようにして入出力関係を求める。まず、検査システム８を使用して、検査に使用される２つの検査用入力電圧（検査用入力電源）Ｖｉｎ１、Ｖｉｎ２を入力した場合の実際の出力電圧Ｖｏ１、Ｖｏ２を検出する（図６参照）。そして、検査用入力電圧Ｖｉｎ１、Ｖｉｎ２と、出力電圧Ｖｏ１，Ｖｏ２とに基づいて、線形の入出力関係（Ｖｏｕｔ＝ａ×Ｖｉｎ＋ｂ）の傾きａおよび切片ｂを導出する。なお、傾きａは、以下の式（４）により導出され、切片ｂは以下の式（５）により導出される。
ａ＝（Ｖｏ２−Ｖｏ１）／（Ｖｉｎ２−Ｖｉｎ１）      ………式（４）
ｂ＝（Ｖｏ１・Ｖｉｎ２−Ｖｏ２・Ｖｉｎ１）／（Ｖｉｎ２−Ｖｉｎ１）    ………式（５）
【００４８】
Ｃ３Ｂ′：入出力関係記憶手段
入出力関係記憶手段Ｃ３Ｂ′は、前記回帰分析手段Ｃ３Ａ′で導出された入出力関係を特定する定数（傾きａおよび切片ｂ）を記憶する入出力関係係数記憶手段Ｃ３Ｂ３を有し、高圧電源回路Ｅ１の実際の入出力関係（実施例２では、Ｖｏｕｔ＝ａ×Ｖｉｎ＋ｂ）を記憶する。
なお、実施例２の入力電圧演算手段Ｃ３Ｃは、出力電圧Ｖｏｕｔを出力する場合、前記式（４）および式（５）により導出された係数ａ、ｂを使用して、以下の式（６）により入力電圧Ｖｉｎを導出する。
Ｖｉｎ＝（Ｖｏｕｔ−ｂ）／ａ      ………式（６）
【００４９】
（実施例２の作用）
前記構成要件を備えた実施例２の画像形成装置Ｕでは、検査システム８を使用して、２つの検査用入力電圧Ｖｉｎ１，Ｖｉｎ２を入力した時に得られる出力電圧Ｖｏ１，Ｖｏ２を使用して、高圧電源回路Ｅ１の入出力関係を導出する。そして、画像形成動作時等は、前記入出力関係を使用して、入力電圧Ｖｉｎを計算して駆動回路Ｅ１ａに入力し、所望の出力電圧Ｖｏｕｔを出力する。
したがって、実施例２の画像形成装置Ｕでは、２つの検査結果に基づいて回帰分析を行うため、精度の高い入力電圧Ｖｉｎの調整を行うことができる。その他、実施例２の画像形成装置Ｕは、実施例１の画像形成装置Ｕと同様の作用効果を奏する。
【産業上の利用可能性】
【００５０】
(変更例)
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ011）を下記に例示する。
（Ｈ01）本発明は、複写機に限定されず、プリンタ、ＦＡＸあるいはこれら複数の機能を備えた複合機等の画像形成装置に適用可能である。また、モノクロの画像形成装置に限定されず、フルカラーの画像形成装置に適用可能である。さらに、電子写真方式の画像形成装置に限定されず、その他の記録方式の画像形成装置にも適用可能である。
【００５１】
（Ｈ02）本発明の電源装置は、画像形成装置に好適に使用されるが、電源出力をリニアに調整して出力する画像形成装置以外の高圧電源装置に適用可能である。
（Ｈ03）前記各実施例において、駆動回路Ｅ１ａや昇圧回路Ｅ１ｂ、フィードバック回路Ｅ１ｃの回路構成は、実施例記載の構成に限定されず、素子を追加したり、省略したりすることも可能である。
（Ｈ04）前記実施例２において、２つの検査用入力電圧により得られる入出力関係を例示したが、２つに限定されず、３つ以上の複数の検査用入力電圧を使用して、入出力関係を導出することも可能である。なお、３つ以上の場合、最小二乗法による直線近似やその他の近似方法により入出力関係を導出することができる。
【００５２】
（Ｈ05）前記各実施例において、入出力関係は、直線（Ｖｏｕｔ＝ａ×Ｖｉｎ＋ｂ）に限定されず、曲線の入出力関係（Ｖｏｕｔ＝ｆ（Ｖｉｎ）＋ｂ）とすることも可能である。この場合、例えば、実施例１では、ΔＶｉｎが微小とした場合、ΔＶｉｎ＝（Ｖｏｓ−Ｖｏａ）／ｆ′（Ｖｉｎ１）として導出できる。なお、ｆ′（Ｖｉｎ１）は、ｆ（Ｖｉｎ）のＶｉｎ→Ｖｉｎ１の１階微分である。
（Ｈ06）前記各実施例において、電源入力および電源出力として入力電圧および出力電圧について説明をしたが、入力電流および出力電流とすることも可能である。
（Ｈ07）前記各実施例において、電圧を昇圧させる昇圧回路について説明したが、電圧を下降させる降圧回路に適用することも可能である。
【００５３】
（Ｈ08）前記各実施例において、検査システムを使用して製品出荷前に入出力関係の検査を行うことが望ましいが、これに限定されず、電源オン後の初期化処理時等で入出力関係の検査を行うようにすることも可能である。
（Ｈ09）前記各実施例において、補正値を演算する補正値演算手段Ｃ３Ａや回帰分析手段Ｃ３Ａ′を画像形成装置ＵのコントローラＣに設けたが、これに限定されず、検査システム８に設けることも可能である。
（Ｈ010）前記実施例において、Ｖｉｎ１′を入出力関係を使用して計算で求めたが、これに限定されず、検査システムによりＶｉｎを調整して、Ｖｏｓ（Ｖｏａ＝Ｖｏｓ）となるＶｉｎ１′を見つけ、ΔＶｉｎ＝Ｖｉｎ１′−Ｖｉｎ１を計算することも可能である。
（Ｈ011）前記実施例において、ＮＶＭを画像形成装置のコントローラＣ内に設けたが、これに限定されず、ＮＶＭ（入出力関係記憶手段Ｃ３Ｂ等）を高圧電源回路Ｅ１側に設け、コントローラＣのＣＰＵ（入力電圧演算手段Ｃ３Ｃ等）が高圧電源回路Ｅ１側のＮＶＭを参照するように構成することも可能である。このとき、検査システムにＣＰＵ（補正値演算手段Ｃ３Ａ等）を設けて、検査時には検査システムのＣＰＵによりＮＶＭに情報を書き込み、使用時には画像形成装置ＵのコントローラのＣＰＵがＮＶＭを参照するように構成することも可能である。また、前記ＮＶＭおよびＣＰＵを内蔵した高圧電源回路とすることも可能である。
【図面の簡単な説明】
【００５４】
【図１】図１は本発明の画像形成装置（デジタル複写機）の縦断面図である。
【図２】図２は実施例１の画像形成装置の電源装置の説明図である。
【図３】図３は実施の形態１の画像形成装置の制御部分が備えている各機能をブロック図（機能ブロック図）で示した図である。
【図４】図４は実施例１の補正値の導出方法の説明図であり、横軸にＤＡＣ入力電圧Ｖｉｎをとり縦軸に高圧出力電圧Ｖｏｕｔをとったグラフである。
【図５】図５は実施例２の画像形成装置の制御部分が有する各機能の機能ブロック図であり、実施例１の図３に対応する図である。
【図６】図６は実施例２の補正値の導出方法の説明図であり、実施例１の図４に対応する図である。
【図７】図７は、検査システムに接続された状態における従来の画像形成装置の電源装置の説明図である。
【符号の説明】
【００５５】
８…検査システム、
ａ、ｂ…定数、
Ｃ＋Ｅ１…電源装置、
Ｃ３…電源制御手段、
Ｃ３Ａ′…回帰分析手段、
Ｃ３Ｂ、Ｃ３Ｂ′…入出力関係記憶手段、
Ｅ１ｂ…変圧回路、
Ｅ１ｃ…フィードバック回路、
Ｒ４′…フィードバック用固定抵抗、
Ｔ１…変圧器、
Ｖｉｎ…電源入力、
Ｖｉｎ′…補正後電源入力、
Ｖｏｕｔ…電源出力、
Ｖｏａ…実際の電源出力、
Ｖｏｓ…基準電源出力、
ΔＶｉｎ…補正値。
【図１】
2006262676.tif 000003
【図２】
2006262676.tif 000004
【図３】
2006262676.tif 000005
【図４】
2006262676.tif 000006
【図５】
2006262676.tif 000007
【図６】
2006262676.tif 000008
【図７】
2006262676.tif 000009